(57)【要約】【課題】液晶に弾性波を誘起させて混濁状態にし、そこに電界を印加することにより液晶を再び透明状態にすることで表示機能を実現すること。【解決手段】第１電気信号がすだれ状電極１１と対向電極１２の間に印加されると、圧電基板１０に厚みモードの振動が励振される。その結果、液晶９中に弾性波が生じ、液晶９が透明状態から混濁状態になる。この時、もしも第２電気信号が第１透明電極２の点状副電極のうちの１つと、第２透明電極５の間に印加されると、それらの間の領域にある液晶９に電界が印加される。この領域に印加された電界はこの領域にある液晶９だけを透明状態にする。その結果、その領域にある液晶９を通して、光が対向電極１２で反射される。【選択図】      図１
2004226581.tif 000002
【特許請求の範囲】
【請求項１】
ディスプレイ部と、そのディスプレイ部の下に備えられた圧電部から成る反射型液晶ディスプレイであって、前記ディスプレイ部は第１および第２の透明な非圧電板と、液晶から成り、前記第１の透明な非圧電板の下端面には第１透明電極が設けられ、前記第２の透明な非圧電板の上端面には第２透明電極が設けられており、前記液晶は前記第１および第２透明電極の間に設けられていて、前記圧電部は圧電基板と、その圧電基板の下端面に設けられた少なくとも１つの電極と、上端面に設けられた対向電極から成り、前記少なくとも１つの電極と前記対向電極の間に第１電気信号が印加されることにより、前記圧電基板に厚みモードの振動が励振され、前記厚みモードの振動により前記液晶に弾性波が生じ、前記弾性波により前記液晶が混濁状態になり、前記第１および第２透明電極の間に第２電気信号が印加されることにより、前記液晶の少なくとも一部に電界が印加され、前記電界により前記少なくとも一部が透明状態になり、前記透明状態にある前記少なくとも一部を通して、光が前記対向電極で反射される反射型液晶ディスプレイ。
【請求項２】
前記第１電気信号の周波数は、前記第２の透明な非圧電板および前記圧電基板の複合体の厚みモードの共振周波数にほぼ等しい請求項１に記載の反射型液晶ディスプレイ。
【請求項３】
前記圧電基板が圧電セラミック薄板で成り、前記圧電セラミック薄板の分極軸の方向はその厚さ方向と平行である請求項１または２に記載の反射型液晶ディスプレイ。
【請求項４】
前記圧電基板が圧電性高分子膜で成る請求項１または２に記載の反射型液晶ディスプレイ。
【請求項５】
前記第２の透明な非圧電板自体に伝搬する弾性波の位相速度は、前記圧電基板自体を伝搬する弾性波の位相速度よりも遅く、同時に、前記液晶自体に伝搬する弾性波の位相速度よりも速い請求項１，２，３または４に記載の反射型液晶ディスプレイ。
【請求項６】
前記第１の透明な非圧電板自体に伝搬する弾性波の位相速度は、前記液晶自体に伝搬する弾性波の位相速度よりも速い請求項１，２，３，４または５に記載の反射型液晶ディスプレイ。
【請求項７】
前記液晶がネマティック液晶または強誘電性液晶で成る請求項１，２，３，４，５または６に記載の反射型液晶ディスプレイ。
【請求項８】
前記第１および第２透明電極がインジウムとスズの酸化物で成る請求項１，２，３，４，５，６または７に記載の反射型液晶ディスプレイ。
【請求項９】
前記第１および第２透明電極がそれぞれ細長い副電極の集合体で成り、それぞれの前記集合体は縞模様を形成し、前記第１透明電極の前記縞模様と前記第２透明電極の前記縞模様は互いに直交し、前記第１透明電極の少なくとも１つの前記副電極と前記第２透明電極の少なくとも１つの前記副電極の間に前記第２電気信号が印加されることにより、前記第１透明電極の前記副電極と前記第２透明電極の前記副電極との間の交叉領域にある前記液晶に電界が印加され、前記交叉領域の前記液晶が透明状態になる請求項１，２，３，４，５，６，７または８に記載の反射型液晶ディスプレイ。
【請求項１０】
前記第１透明電極が点状副電極の集合体で成り、前記第２透明電極が板状電極で成り、前記点状副電極の少なくとも１つと前記板状電極の間に前記第２電気信号が印加されることにより、前記点状副電極の前記少なくとも１つと前記板状電極の間の領域にある前記液晶に電界が印加され、前記領域の前記液晶が透明状態になる請求項１，２，３，４，５，６，７または８に記載の反射型液晶ディスプレイ。
【請求項１１】
前記第１透明電極が板状電極で成り、前記第２透明電極が点状副電極の集合体で成り、前記板状電極と前記点状副電極の少なくとも１つの間に前記第２電気信号が印加されることにより、前記板状電極と前記点状副電極の前記少なくとも１つの間の領域にある前記液晶に電界が印加され、前記領域の前記液晶が透明状態になる請求項１，２，３，４，５，６，７または８に記載の反射型液晶ディスプレイ。
【請求項１２】
前記少なくとも１つの電極が櫛型電極で成る請求項１，２，３，４，５，６，７，８，９，１０または１１に記載の反射型液晶ディスプレイ。
【請求項１３】
前記少なくとも１つの電極が櫛型電極で成り、その電極周期長は前記圧電基板の厚さよりも大きい請求項１，２，３，４，５，６，７，８，９，１０または１１に記載の反射型液晶ディスプレイ。
【請求項１４】
前記第１透明電極の下端面に第１の透明な高分子薄膜が設けられ、前記第２透明電極の上端面に第２の透明な高分子薄膜が設けられている請求項１，２，３，４，５，６，７，８，９，１０，１１，１２または１３に記載の反射型液晶ディスプレイ。
【請求項１５】
前記第１透明電極の下端面に第１の透明な高分子薄膜が設けられ、前記第２透明電極の上端面に第２の透明な高分子薄膜が設けられており、前記電界が印加される前の前記液晶は、ラビング処理を施されている請求項１，２，３，４，５，６，７，８，９，１０，１１，１２または１３に記載の反射型液晶ディスプレイ。
【請求項１６】
前記第２の透明な非圧電板の下端面に反射板が備えられている請求項１，２，３，４，５，６，７，８，９，１０，１１，１２，１３，１４または１５に記載の反射型液晶ディスプレイ。
【請求項１７】
前記ディスプレイ部にカラーフィルタが備えられている請求項１，２，３，４，５，６，７，８，９，１０，１１，１２，１３，１４，１５または１６に記載の反射型液晶ディスプレイ。
【請求項１８】
前記少なくとも１つの電極が電極Ｅｉ  （ｉ＝１，  ２，…，  ｎ）で成るとともに、前記電極Ｅｉに接続されたスイッチが設けられた反射型液晶ディスプレイであって、前記電極Ｅｉのそれぞれと、前記対向電極の間に前記スイッチを介して前記第１電気信号が順次に印加されることにより、前記電極Ｅｉと対応する厚みモードの振動が前記圧電基板に順次に励振され、前記厚みモードの振動により前記液晶に弾性波が順次に生じ、前記弾性波により前記液晶が混濁状態になる請求項１，２，３，４，５，６，７，８，９，１０，１１，１２，１３，１４，１５，１６または１７に記載の反射型液晶ディスプレイ。
【発明の詳細な説明】
【０００１】
【発明の属する技術分野】
本発明は、圧電部に励振させた厚みモードの振動により、ディスプレイ部の液晶に弾性波を誘起させて液晶を混濁状態にし、その混濁状態の液晶に電界を印加することにより液晶を透明状態にすることで表示機能を実現する反射型液晶ディスプレイに関する。
【０００２】
【従来の技術】
携帯情報端末機やＧＰＳカーナビゲイションシステム等のモバイル端末機には、小型軽量、省電力、高精細などの要求が益々高まっている。これらの要求に答えるためには、モバイル端末機に搭載されている液晶ディスプレイの機能向上が必要不可欠である。従来の液晶ディスプレイの代表的なものとして挙げられる薄膜トランジスタ駆動型ディスプレイは、高品質ではあるものの、光源による消費電力が全消費電力の８０％程度を占めていることなど、改善すべき点も多い。一方。このような透過型に代わる反射型のディスプレイは、省電力化をすすめる目的では好都合である。反射型ディスプレイの代表的なものとしては、高分子分散型やゲストホスト型が挙げられるが、装置の小型軽量化、高精度化および寿命等に関し問題点も多く、とりわけ、輝度不足の解消およびコントラスト比の向上が大きな課題である。
【０００３】
【発明が解決しようとする課題】
本発明の目的は、輝度およびコントラスト比が高く、精密な画像を提供することが可能で、視野特性に優れ、液晶が劣化しにくく、低消費電力駆動が可能で、回路構成が簡単で、応答速度が速く、大量生産が可能で、小型軽量で、耐久性に優れ、光源および偏光子を必要としない反射型液晶ディスプレイを提供することにある。
【０００４】
【課題を解決するための手段】
請求項１に記載の反射型液晶ディスプレイは、ディスプレイ部と、そのディスプレイ部の下に備えられた圧電部から成る反射型液晶ディスプレイであって、前記ディスプレイ部は第１および第２の透明な非圧電板と、液晶から成り、前記第１の透明な非圧電板の下端面には第１透明電極が設けられ、前記第２の透明な非圧電板の上端面には第２透明電極が設けられており、前記液晶は前記第１および第２透明電極の間に設けられていて、前記圧電部は圧電基板と、その圧電基板の下端面に設けられた少なくとも１つの電極と、上端面に設けられた対向電極から成り、前記少なくとも１つの電極と前記対向電極の間に第１電気信号が印加されることにより、前記圧電基板に厚みモードの振動が励振され、前記厚みモードの振動により前記液晶に弾性波が生じ、前記弾性波により前記液晶が混濁状態になり、前記第１および第２透明電極の間に第２電気信号が印加されることにより、前記液晶の少なくとも一部に電界が印加され、前記電界により前記少なくとも一部が透明状態になり、前記透明状態にある前記少なくとも一部を通して、光が前記対向電極で反射される。
【０００５】
請求項２に記載の反射型液晶ディスプレイは、前記第１電気信号の周波数が、前記第２の透明な非圧電板および前記圧電基板の複合体の厚みモードの共振周波数にほぼ等しい。
【０００６】
請求項３に記載の反射型液晶ディスプレイは、前記圧電基板が圧電セラミック薄板で成り、前記圧電セラミック薄板の分極軸の方向はその厚さ方向と平行である。
【０００７】
請求項４に記載の反射型液晶ディスプレイは、前記圧電基板が圧電性高分子膜で成る。
【０００８】
請求項５に記載の反射型液晶ディスプレイは、前記第２の透明な非圧電板自体に伝搬する弾性波の位相速度が、前記圧電基板自体を伝搬する弾性波の位相速度よりも遅く、同時に、前記液晶自体に伝搬する弾性波の位相速度よりも速い。
【０００９】
請求項６に記載の反射型液晶ディスプレイは、前記第１の透明な非圧電板自体に伝搬する弾性波の位相速度が、前記液晶自体に伝搬する弾性波の位相速度よりも速い。
【００１０】
請求項７に記載の反射型液晶ディスプレイは、前記液晶がネマティック液晶または強誘電性液晶で成る。
【００１１】
請求項８に記載の反射型液晶ディスプレイは、前記第１および第２透明電極がインジウムとスズの酸化物で成る。
【００１２】
請求項９に記載の反射型液晶ディスプレイは、前記第１および第２透明電極がそれぞれ細長い副電極の集合体で成り、それぞれの前記集合体は縞模様を形成し、前記第１透明電極の前記縞模様と前記第２透明電極の前記縞模様は互いに直交し、前記第１透明電極の少なくとも１つの前記副電極と前記第２透明電極の少なくとも１つの前記副電極の間に前記第２電気信号が印加されることにより、前記第１透明電極の前記副電極と前記第２透明電極の前記副電極との間の交叉領域にある前記液晶に電界が印加され、前記交叉領域の前記液晶が透明状態になる。
【００１３】
請求項１０に記載の反射型液晶ディスプレイは、前記第１透明電極が点状副電極の集合体で成り、前記第２透明電極が板状電極で成り、前記点状副電極の少なくとも１つと前記板状電極の間に前記第２電気信号が印加されることにより、前記点状副電極の前記少なくとも１つと前記板状電極の間の領域にある前記液晶に電界が印加され、前記領域の前記液晶が透明状態になる。
【００１４】
請求項１１に記載の反射型液晶ディスプレイは、前記第１透明電極が板状電極で成り、前記第２透明電極が点状副電極の集合体で成り、前記板状電極と前記点状副電極の少なくとも１つの間に前記第２電気信号が印加されることにより、前記板状電極と前記点状副電極の前記少なくとも１つの間の領域にある前記液晶に電界が印加され、前記領域の前記液晶が透明状態になる。
【００１５】
請求項１２に記載の反射型液晶ディスプレイは、前記少なくとも１つの電極が櫛型電極で成る。
【００１６】
請求項１３に記載の反射型液晶ディスプレイは、前記少なくとも１つの電極が櫛型電極で成り、その電極周期長は前記圧電基板の厚さよりも大きい。
【００１７】
請求項１４に記載の反射型液晶ディスプレイは、前記第１透明電極の下端面に第１の透明な高分子薄膜が設けられ、前記第２透明電極の上端面に第２の透明な高分子薄膜が設けられている。
【００１８】
請求項１５に記載の反射型液晶ディスプレイは、前記第１透明電極の下端面に第１の透明な高分子薄膜が設けられ、前記第２透明電極の上端面に第２の透明な高分子薄膜が設けられており、前記電界が印加される前の前記液晶は、ラビング処理を施されている。
【００１９】
請求項１６に記載の反射型液晶ディスプレイは、前記第２の透明な非圧電板の下端面に反射板が備えられている。
【００２０】
請求項１７に記載の反射型液晶ディスプレイは、前記ディスプレイ部にカラーフィルタが備えられている。
【００２１】
請求項１８に記載の反射型液晶ディスプレイは、前記少なくとも１つの電極が電極Ｅｉ  （ｉ＝１，  ２，…，  ｎ）で成るとともに、前記電極Ｅｉに接続されたスイッチが設けられた反射型液晶ディスプレイであって、前記電極Ｅｉのそれぞれと、前記対向電極の間に前記スイッチを介して前記第１電気信号が順次に印加されることにより、前記電極Ｅｉと対応する厚みモードの振動が前記圧電基板に順次に励振され、前記厚みモードの振動により前記液晶に弾性波が順次に生じ、前記弾性波により前記液晶が混濁状態になる。
【００２２】
【発明の実施の形態】
本発明の反射型液晶ディスプレイは、ディスプレイ部と、そのディスプレイ部の下に備えられた圧電部から成る簡単な構造を有する。ディスプレイ部は第１および第２の透明な非圧電板と、液晶から成る。第１の透明な非圧電板の下端面には第１透明電極が設けられ、第２の透明な非圧電板の上端面には第２透明電極が設けられており、液晶は第１および第２透明電極の間に設けられている。圧電部は圧電基板と、その圧電基板の下端面に設けられた少なくとも１つの電極と、上端面に設けられた対向電極から成る。
【００２３】
もしも、圧電基板の下端面に設けられた少なくとも１つの電極と対向電極の間に第１電気信号が印加されると、圧電基板に厚みモードの振動が励振される。この厚みモードの振動により液晶に弾性波が生じ、弾性波により液晶が混濁状態になる。このとき、もしも第１および第２透明電極の間に第２電気信号が印加されると、液晶の少なくとも一部に電界が印加される。この電界により、液晶のその少なくとも一部が透明状態になる。結果として、透明状態にある部分の液晶を通して、光が対向電極で反射される。このとき、対向電極は反射板としての役割も果たす。このようにして、本発明の反射型液晶ディスプレイは光源や偏光子を必要としないので、小型軽量で、低消費電力駆動が可能である。
【００２４】
本発明の反射型液晶ディスプレイでは、第１電気信号の周波数が、第２の透明な非圧電板および圧電基板の複合体の厚みモードの共振周波数にほぼ等しい構造が採用されている。このような構造を採用することにより、効率よく圧電基板に厚みモードの振動を励振することが可能となる。
【００２５】
本発明の反射型液晶ディスプレイでは、圧電基板が圧電セラミック薄板で成る構造を採用することが可能である。このとき、圧電セラミック薄板の分極軸の方向はその厚さ方向と平行である。このような構造を採用することにより、効率よく圧電基板に厚みモードの振動を励振することが可能となる。
【００２６】
本発明の反射型液晶ディスプレイでは、圧電基板が圧電性高分子膜で成る構造を採用することが可能である。このような構造を採用することにより、効率よく圧電基板に厚みモードの振動を励振することが可能となる。
【００２７】
本発明の反射型液晶ディスプレイでは、第２の透明な非圧電板自体に伝搬する弾性波の位相速度が、圧電基板自体を伝搬する弾性波の位相速度よりも遅く、同時に、液晶自体に伝搬する弾性波の位相速度よりも速い構造が採用されている。このような構造を採用することにより、液晶中に効率よく弾性波が生じる。
【００２８】
本発明の反射型液晶ディスプレイでは、第１の透明な非圧電板自体に伝搬する弾性波の位相速度は、液晶自体に伝搬する弾性波の位相速度よりも速い構造が採用されている。このような構造を採用することにより、液晶中に効率よく弾性波が生じる。
【００２９】
本発明の反射型液晶ディスプレイでは、液晶としてネマティック液晶または強誘電性液晶を採用することが可能である。このような液晶を採用することにより、精密な画像を構成することが可能となり、表示機能に優れた反射型液晶ディスプレイを提供することが可能となる。
【００３０】
本発明の反射型液晶ディスプレイでは、第１および第２透明電極として、インジウムとスズの酸化物を採用することが可能である。このような構造を採用することにより、精密な画像を構成することが可能となり、表示機能に優れた反射型液晶ディスプレイを提供することが可能となる。
【００３１】
本発明の反射型液晶ディスプレイでは、第１および第２透明電極がそれぞれ細長い副電極の集合体で成る構造を採用することが可能である。この場合、それぞれの集合体は縞模様を形成し、第１透明電極の縞模様と第２透明電極の縞模様は互いに直交している。もしも、第１透明電極の少なくとも１つの副電極と第２透明電極の少なくとも１つの副電極の間に第２電気信号が印加されると、第１透明電極の副電極と第２透明電極の副電極との間の交叉領域にある液晶に電界が印加される。従って、その交叉領域の液晶が透明状態になる。このようにして、精密な画像を構成することが可能となり、表示機能に優れた反射型液晶ディスプレイを提供することが可能となる。
【００３２】
本発明の反射型液晶ディスプレイでは、第１透明電極が点状副電極の集合体で成り、第２透明電極が板状電極で成る構造を採用することが可能である。もしも、点状副電極の少なくとも１つと板状電極の間に第２電気信号が印加されると、点状副電極の少なくとも１つと板状電極の間の領域にある液晶に電界が印加される。従って、その領域の液晶が透明状態になる。このようにして、精密な画像を構成することが可能となり、表示機能に優れた反射型液晶ディスプレイを提供することが可能となる。
【００３３】
本発明の反射型液晶ディスプレイでは、第１透明電極が板状電極で成り、第２透明電極が点状副電極の集合体で成る構造を採用することが可能である。もしも、板状電極と点状副電極の少なくとも１つの間に第２電気信号が印加されると、板状電極と点状副電極の少なくとも１つの間の領域にある液晶に電界が印加される。従って、その領域の液晶が透明状態になる。このようにして、精密な画像を構成することが可能となり、表示機能に優れた反射型液晶ディスプレイを提供することが可能となる。
【００３４】
本発明の反射型液晶ディスプレイでは、圧電基板の下端面に設けられた少なくとも１つの電極が櫛型電極で成る構造が可能である。さらに、その電極周期長が圧電基板の厚さよりも大きい構造を採用することができる。このような構造を採用することにより、効率よく圧電基板に厚みモードの振動を励振することが可能となる。
【００３５】
本発明の反射型液晶ディスプレイでは、第１透明電極の下端面に第１の透明な高分子薄膜が設けられ、第２透明電極の上端面に第２の透明な高分子薄膜が設けられた構造を採用することができる。さらに、電界が印加される前の液晶に予めラビング処理を施しておくことが可能である。
【００３６】
本発明の反射型液晶ディスプレイでは、第２の透明な非圧電板の下端面に反射板を備えた構造が可能である。
【００３７】
本発明の反射型液晶ディスプレイでは、ディスプレイ部にカラーフィルタが備えられた構造が可能である。このような構造を採用することにより、全色型の反射型液晶ディスプレイを構成することが可能となる。
【００３８】
本発明の反射型液晶ディスプレイでは、圧電基板の下端面に設けられた少なくとも１つの電極が電極Ｅｉ  （ｉ＝１，  ２，…，  ｎ）で成るとともに、電極Ｅｉに接続されたスイッチが設けられた構造が可能である。もしも、電極Ｅｉのそれぞれと、対向電極の間にスイッチを介して第１電気信号が順次に印加されると、電極Ｅｉと対応する厚みモードの振動が圧電基板に順次に励振される。厚みモードの振動は液晶に弾性波を順次に発生させ、弾性波は液晶を混濁状態にする。このようにして、ディスプレイの面積を広げること、すなわち大画面にすることが可能となり、視野特性に優れたディスプレイを提供することが可能となる。
【００３９】
【実施例】
図１は本発明の反射型液晶ディスプレイの第１の実施例を示す断面図である。本実施例は第１の透明な非圧電板１、第１透明電極２、第１の透明な高分子薄膜３、第２の透明な非圧電板４、第２透明電極５、第２の透明な高分子薄膜６、第１の隙間材７、第２の隙間材８、液晶９、圧電基板１０、すだれ状電極１１および対向電極１２から成る。本実施例では、第１透明圧電板１の下端面に第１透明電極２が設けられ、第１透明電極２の下端面に第１透明高分子薄膜３が設けられている。また、第２透明非圧電板４の上端面に第２透明電極５が設けられ、第２透明電極５の上端面に第２透明高分子薄膜６が設けられている。第１隙間材７および第２隙間材８は図１では描かれていない。
【００４０】
図１の反射型液晶ディスプレイでは、第１透明非圧電板１、第１透明電極２、第１透明高分子薄膜３、第２透明非圧電板４、第２透明電極５、第２透明高分子薄膜６および液晶９によって、７層から成るディスプレイ部が構成されている。また、圧電基板１０、すだれ状電極１１および対向電極１２によって、３層から成る圧電部が構成されており、圧電部の上にディスプレイ部がエポキシ樹脂によって固着されている。
【００４１】
図１の圧電部では、圧電基板１０は厚さ２００μｍの圧電セラミック薄板で成り、圧電セラミック薄板の分極軸の方向はその厚さ方向と平行である。すだれ状電極１１および対向電極１２は、それぞれアルミニウム薄膜で成り、圧電基板１０の下端面および上端面にそれぞれ設けられている。
【００４２】
図１のディスプレイ部では、第１透明非圧電板１および第２透明非圧電板４は、互いに別の材質のガラス板で成り、それらの厚さは１．１  ｍｍである。この時、第２透明非圧電板４自体に伝搬する弾性波の位相速度は、圧電基板１０自体を伝搬する弾性波の位相速度よりも遅く、同時に、液晶９自体に伝搬する弾性波の位相速度よりも速い。また、第１透明非圧電板１自体に伝搬する弾性波の位相速度は、液晶９自体に伝搬する弾性波の位相速度よりも速い。第１透明電極２は点状副電極の集合体で成り、第２透明電極５は板状電極で成る。第１透明電極２および第２透明電極５はどちらもインジウムとスズの酸化物で成る。第１透明高分子薄膜３および第２透明高分子薄膜６はどちらもポリイミドで成る。液晶９はネマティック液晶のＭＢＢＡで成り、第１透明高分子薄膜３および第２透明高分子薄膜６の間の厚さ５０μｍの空間に、ラビング処理を施されることなく注入されている。この際、液晶９をラビング処理の後に注入することも可能である。ラビング処理により、液晶９はホモジニアス配向を成す。また、第１透明高分子薄膜３および第２透明高分子薄膜６を使用せずに、第１透明電極２および第２透明電極５の間の空間に、液晶９を直接注入することも可能である。この場合、ラビング処理は行わない。このようにして、図１の反射型液晶ディスプレイは、製作が容易であり、耐久性にも優れる。
【００４３】
図１の反射型液晶ディスプレイでは、圧電基板１０として圧電性高分子膜を、第１透明非圧電板１および第２透明非圧電板４としてそれぞれ高分子膜を用いることが可能である。このような高分子膜を用いることにより、反射型液晶ディスプレイ全体の柔軟性が増し、その結果、平面状のディスプレイだけでなく、湾曲したディスプレイが可能となる。第１透明非圧電板１および第２透明非圧電板４としては、ＰＥＴフィルムやアクリル板などが好都合である。
【００４４】
図２は第２透明高分子薄膜６を上方から見たときの平面図である。第２透明高分子薄膜６の上面の両端には第１隙間材７および第２隙間材８がそれぞれ設けられている。第１隙間材７および第２隙間材８はともにＰＥＴフィルムで成り、それらによって、第１透明高分子薄膜３および第２透明高分子薄膜６の間の空間が形成され、その空間に液晶９が注入される。
【００４５】
図３は圧電部の底面図である。すだれ状電極１１は２つの櫛型電極１１ａおよび１１ｂから成る。すだれ状電極１１は１０対の電極指を有し、３００μｍの電極周期長（Ｐ）および５  ｍｍの電極重なり幅（Ｌ）を有する。図１の反射型液晶ディスプレイの駆動時は、櫛型電極１１ａおよび１１ｂの両方または片方のみを用いることが可能である。また、すだれ状電極１１の代わりに、板状の電極１３を用いることもできる。
【００４６】
図１の反射型液晶ディスプレイにおいて、もしも第１電気信号が櫛型電極１１ａおよび１１ｂの交点と、対向電極１２の間に印加されると、圧電基板１０に厚みモードの振動が励振される。このとき、第１電気信号の周波数は、第２透明非圧電板４および圧電基板１０の複合体の厚みモードの共振周波数に等しい。圧電基板１０に厚みモードの振動が励振されるのは、圧電基板１０が圧電セラミック薄板で成り、圧電セラミック薄板の分極軸の方向はその厚さ方向と平行であることに因る。同様にして、第１電気信号が櫛型電極１１ａと、対向電極１２の間に印加されると、圧電基板１０に厚みモードの振動が励振される。また、すだれ状電極１１の代わりに、板状の電極１３を用いることによっても圧電基板１０に厚みモードの振動が励振される。このような厚みモードの振動により、液晶９中に弾性波が生じる。弾性波が効果的に生じるためには、第２透明非圧電板４自体に伝搬する弾性波の位相速度が、圧電基板１０自体を伝搬する弾性波の位相速度よりも遅く、同時に、液晶９自体に伝搬する弾性波の位相速度よりも速いことを必要とする。また、第１透明非圧電板１自体に伝搬する弾性波の位相速度が、液晶９自体に伝搬する弾性波の位相速度よりも速いことを必要とする。液晶９に発生した弾性波は液晶９を透明状態から混濁状態にする。すなわち、弾性波により液晶９の分子運動が活性化される。
【００４７】
液晶９が混濁状態にある時に、もしも第２電気信号が第１透明電極２の点状副電極のうちの１つと、第２透明電極５の間に印加されると、その点状副電極のうちの１つと、第２透明電極５の間の領域にある液晶９に電界が印加される。この領域に印加された電界はこの領域にある液晶９だけを透明状態にする。すなわち、この領域にある液晶９の分子の配向を単一化する。同様にして、２箇所以上の領域にある液晶９を混濁状態から透明状態にすることができ、その結果、それら２箇所以上の領域にある液晶９を通して、光が対向電極１２で反射される。なお、第１透明電極２が板状電極で成り、第２透明電極５が点状副電極の集合体で成る場合にも、同様な結果が得られる。
【００４８】
図４は、第１透明電極２および第２透明電極５それぞれに代わって用いられる第１透明電極１４および第２透明電極１５の構成図である。第１透明電極１４は細長い副電極の集合体で成り、その副電極の集合体は全体として縞模様を形成する。第２透明電極１５は第１透明電極１４と同様な構造を有する。但し、第１透明電極１４の縞模様と第２透明電極１５の縞模様は互いに直交している。
【００４９】
図４における第１透明電極１４および第２透明電極１５を用いる場合、第２電気信号が、たとえば、第１透明電極１４の２番目の副電極と第２透明電極１５の７番目の副電極との間に印加されると、第１透明電極１４の２番目の副電極と第２透明電極１５の７番目の副電極の交叉する領域の液晶９に電界が印加される。この交叉領域に印加された電界は交叉領域にある液晶９だけを透明状態にする。同様にして、２箇所以上の交叉領域にある液晶９を混濁状態から透明状態にすることができ、その結果、それら２箇所以上の交叉領域にある液晶９を通して、光が対向電極１２で反射される。このようにして、図１における圧電部を用いることにより、ディスプレイ部において光源および偏光子を必要としない反射型液晶ディスプレイを提供することが可能となる。
【００５０】
図５は、カラーフィルタ１６と反射板１７を新たに備えたディスプレイ部の断面図である。カラーフィルタ１６は、第２透明電極５と第２透明高分子薄膜６の間に設けることができる。もしも赤、青および緑に対応する３つの隣接する領域にある液晶９に、振幅の異なる電圧をそれぞれ印加すれば、３つの色を混合することが可能となり、色の種類や度合いを調整することも可能になる。このようにして、全色型の反射型液晶ディスプレイが可能となる。一方、反射板１７は、アルミニウム薄膜で成り、光の反射効率を上げるために第２透明非圧電板４の下に設けられている。なお、図５のディスプレイ部は、図１の圧電部の上にエポキシ樹脂によって固着されている。さらに、もし必要があれば、光源を反射板１７の代わりに用いることも可能である。
【００５１】
図６は、すだれ状電極１１の代わりに櫛型電極Ｅ１，  Ｅ２，  Ｅ３およびＥ４を備えた圧電部の底面図である。図６では、スイッチ１８も描かれている。もしも第１電気信号が櫛型電極Ｅ１，  Ｅ２，  Ｅ３およびＥ４のそれぞれと、対向電極１２の間にスイッチ１８を介して順次に印加されると、櫛型電極Ｅ１，  Ｅ２，  Ｅ３およびＥ４のそれぞれに対応する厚みモードの振動が、圧電基板１０に順次に励振される。これらの厚みモードの振動は液晶９に弾性波を誘起させ、その結果、液晶９が透明状態から混濁状態になる。このようにして、電極Ｅｉ  （ｉ＝１，  ２，…，  ｎ）を用いることにより、ディスプレイの面積を広げること、すなわち大画面にすることができ、視野特性に優れたディスプレイを提供することが可能となる。
【００５２】
図７はラビング処理を伴った液晶９を通る反射光強度と、１０．７２  ＭＨｚの第１電気信号の印加後の時間との関係を示す特性図である。但し、図７はすだれ状電極１１の代わりに電極１３が用いられた場合の特性図を示す。また、図７では８Ｖの第１電気信号の電圧の振幅波形も描かれている。図７から反射光強度が、第１電気信号の印加直後にすばやく減少していることが判る。つまり、第１電気信号の印加により、液晶９は透明状態から混濁状態になる。
【００５３】
図８はラビング処理を伴った液晶９を通る反射光強度と、１０．７２  ＭＨｚの第１電気信号の印加を中止してからの時間との関係を示す特性図である。但し、図８はすだれ状電極１１の代わりに電極１３が用いられた場合の特性図を示す。また、図８では８Ｖの第１電気信号の電圧の振幅波形も描かれている。図８から反射光強度が、第１電気信号の印加を中止した直後はすぐに増加し、時間の経過とともに徐々に増加していることが判る。さらに図７および８より、図１の反射型液晶ディスプレイが輝度に優れることが判る。図１の反射型液晶ディスプレイの輝度は７０  ％に達していることが確認されている。
【００５４】
図９は、液晶９がラビング処理を伴った場合のコントラスト比と、第１電気信号の周波数との関係を示す特性図である。但し、図９はすだれ状電極１１の代わりに電極１３が用いられた場合の特性図を示す。また、コントラスト比とは、液晶９の透明状態における反射光強度と、混濁状態における反射光強度との間の明暗比を示す。図９では、混濁状態に対する透明状態のコントラスト比は、１０．７３  ＭＨｚ付近に１つのピークを有し、この周波数は第２透明非圧電板４および圧電基板１０の複合体の厚みモードの共振周波数にほぼ等しい。このようにして、図１の反射型液晶ディスプレイはコントラスト比に優れる。
【００５５】
図１０は応答時間と、８Ｖの第１電気信号の周波数との関係を示す特性図である。但し、図１０はすだれ状電極１１の代わりに電極１３が用いられた場合の特性図を示す。また、図１０での応答時間とは、ラビング処理を伴った液晶９を通る反射光強度が、第１電気信号の印加後に１００％から１０％になるまでの時間を示す。図１０によれば、応答時間は１０．７３  ＭＨｚ近傍で特に優れていることが判る。なお、応答時間が速ければ速いほど、図１の反射型液晶ディスプレイには好都合である。
【００５６】
図１１は応答時間と、８Ｖの第１電気信号の周波数との関係を示す特性図である。但し、図１１はすだれ状電極１１の代わりに電極１３が用いられた場合の特性図を示す。また、図１１での応答時間とは、ラビング処理を伴った液晶９を通る反射光強度が、第１電気信号の印加を中止した後に０％から９０％になるまでの時間を示す。図１１によれば、１０．７２  ＭＨｚ近傍での応答時間が他と比べて遅いことが判る。なお、応答時間が遅ければ遅いほど、液晶９の混濁状態を維持するのに要する電力消費は低い。従って、応答時間が遅ければ遅いほど、図１の反射型液晶ディスプレイには好都合である。このようにして、第１電気信号としてバースト波信号を用いることが可能であることが判る。
【００５７】
図１２は、液晶９がラビング処理を伴った場合のコントラスト比と、第１電気信号の電圧との関係を示す特性図である。但し、図１２は櫛型電極１１ａおよび１１ｂの両方が用いられた場合（□）、櫛型電極１１ａのみが用いられた場合（●）、そしてすだれ状電極１１の代わりに電極１３が用いられた場合（▲）の特性図を示す。また、コントラスト比とは、液晶９の透明状態における反射光強度と、混濁状態における反射光強度との間の明暗比を示す。図１２によれば、櫛型電極１１ａおよび１１ｂの両方が用いられた場合（□）のコントラスト比が最も優れていることが判る。つまり、櫛型電極１１ａおよび１１ｂの両方を用いれば、僅かな電圧の第１電気信号により、大きなコントラスト比を得ることが可能になる。
【００５８】
図１３は、液晶９がラビング処理を伴わない場合のコントラスト比と、第１電気信号の電圧との関係を示す特性図である。但し、図１３は櫛型電極１１ａおよび１１ｂの両方が用いられた場合（□）と、櫛型電極１１ａのみが用いられた場合（●）の特性図を示す。また、コントラスト比とは、液晶９の透明状態における反射光強度と、混濁状態における反射光強度との間の明暗比を示す。図１３によれば、櫛型電極１１ａおよび１１ｂの両方が用いられた場合（□）のコントラスト比が櫛型電極１１ａのみが用いられた場合（●）のコントラスト比よりも優れていることが判る。つまり、櫛型電極１１ａおよび１１ｂの両方を用いれば、僅かな電圧の第１電気信号により、大きなコントラスト比を得ることが可能になる。さらに、図１２および１３より、ラビング処理を施さない方が、施した方よりもコントラスト比が優れていることが判る。すなわち、ラビング処理を伴わない液晶９を用いれば、僅かな電圧の第１電気信号により、大きなコントラスト比を得ることが可能になる。その結果、液晶９の劣化を抑制することが可能となる。
【００５９】
図１４は応答時間と、第１電気信号の電圧との関係を示す特性図である。但し、図１４は櫛型電極１１ａおよび１１ｂの両方が用いられた場合（□）、櫛型電極１１ａのみが用いられた場合（●）、そしてすだれ状電極１１の代わりに電極１３が用いられた場合（▲）の特性図を示す。また、図１４での応答時間とは、ラビング処理を伴った液晶９を通る反射光強度が、第１電気信号の印加後に１００％から１０％になるまでの時間を示す。図１４によれば、櫛型電極１１ａおよび１１ｂの両方が用いられた場合（□）の応答時間が、他の場合と比べて優れていることが判る。つまり、櫛型電極１１ａおよび１１ｂの両方を用いれば、僅かな電圧の第１電気信号により、速い応答時間を得ることができる。
【００６０】
図１５は、液晶９がラビング処理を伴わない場合（□）または伴う場合（●）の応答時間と、第１電気信号の電圧との関係を示す特性図である。但し、図１５は櫛型電極１１ａのみが用いられた場合の特性図を示す。また、図１５での応答時間とは、液晶９を通る反射光強度が、第１電気信号の印加後に１００％から１０％になるまでの時間を示す。図１５より、液晶９がラビング処理を伴わない場合（□）の方が、伴う場合（●）よりも応答時間が速いことが判る。つまり、ラビング処理を伴わない液晶９を用いれば、僅かな電圧の第１電気信号により、速い応答時間を得ることができる。
【００６１】
図１６は、液晶９がラビング処理を伴わない場合（□）または伴う場合（■）のコントラスト比と、第１電気信号として用いられた８Ｖのバースト波信号のデューティー比との関係を示す特性図である。但し、図１６は櫛型電極１１ａのみが用いられた場合の特性図を示す。また、バースト波信号は３０  Ｈｚの周波数を有し、各バーストは１０．７２  ＭＨｚのキャリアー周波数を有する。図１６より、液晶９がラビング処理を伴う場合（■）には、コントラスト比はデューティー比の増加に伴って徐々に増加し、液晶９がラビング処理を伴わない場合（□）には、コントラスト比はデューティー比の増加に伴って急激に増加する。つまり、液晶９がラビング処理を伴わない場合（□）の方が、コントラスト比に優れることが判る。さらにコントラスト比は、バースト波信号の周波数に依存することなく、ほぼ一定であることが確認されている。このようにして、バースト波信号を使用することにより、低消費電力駆動が可能となる。
【００６２】
図１７は、液晶９がラビング処理を伴わない場合（□）または伴う場合（■）の応答時間と、第１電気信号として用いられた８Ｖのバースト波信号のデューティー比との関係を示す特性図である。但し、図１７は櫛型電極１１ａのみが用いられた場合の特性図を示す。また、バースト波信号は３０  Ｈｚの周波数を有し、各バーストは１０．７２  ＭＨｚのキャリアー周波数を有する。さらに、図１７での応答時間とは、液晶９を通る反射光強度が、バースト波信号の印加後に１００％から１０％になるまでの時間を示す。図１７より、液晶９がラビング処理を伴う場合（■）には、応答時間はデューティー比の増加に伴って徐々に減少し、液晶９がラビング処理を伴わない場合（□）には、応答時間はデューティー比の増加に伴って急激に減少する。つまり、液晶９がラビング処理を伴わない場合（□）の方が、応答時間に優れることが判る。
【００６３】
図１８は、液晶９がラビング処理を伴わない場合（□）または伴う場合（■）のコントラスト比と、第２電気信号の電圧との関係を示す特性図である。但し、図１８は櫛型電極１１ａのみが用いられた場合の特性図を示す。図１８より、液晶９がラビング処理を伴わない場合（□）の方が、コントラスト比に優れることが判る。このようにして、図１の反射型液晶ディスプレイはコントラスト比に優れる。
【００６４】
図１９は、液晶９がラビング処理を伴わない場合（□）または伴う場合（■）の応答時間と、第２電気信号の電圧との関係を示す特性図である。但し、図１９は櫛型電極１１ａのみが用いられた場合の特性図を示す。図１９での応答時間とは、液晶９を通る反射光強度が、第２電気信号の印加後に０％から９０％になるまでの時間を示す。図１９より、液晶９がラビング処理を伴わない場合（□）の方が、伴う場合（■）よりも応答時間が速いことが判る。さらに、液晶９の厚さをもっと薄くすることにより、応答時間をもっと速くすることが可能となる。また、液晶９として強誘電性液晶を用いることにより、応答時間をさらに短縮することが可能となる。
【００６５】
図２０は、液晶９がラビング処理を伴わない場合（□）または伴う場合（■）の応答時間と、第２電気信号の電圧との関係を示す特性図である。但し、図２０は櫛型電極１１ａのみが用いられた場合の特性図を示す。図２０での応答時間とは、液晶９を通る反射光強度が、第２電気信号の印加を中止した後に１００％から１０％になるまでの時間を示す。また、液晶９がラビング処理を伴わない場合（□）の応答時間は図２０の右側の目盛りに対応し、液晶９がラビング処理を伴う場合（■）の応答時間は図２０の左側の目盛りに対応する。図２０によれば、液晶９がラビング処理を伴わない場合（□）の応答時間は、３０  Ｖ以上でほぼ一定であって、液晶９がラビング処理を伴う場合（■）に比べてはるかに優れていることがわかる。
【００６６】
【発明の効果】
本発明の反射型液晶ディスプレイは、ディスプレイ部と、そのディスプレイ部の下に備えられた圧電部から成る。圧電部は圧電基板と、その圧電基板の下端面に設けられた少なくとも１つの電極と、上端面に設けられた対向電極から成る。ディスプレイ部は第１および第２の透明な非圧電板と、液晶から成る。第１の透明な非圧電板の下端面には第１透明電極が設けられ、第２の透明な非圧電板の上端面には第２透明電極が設けられており、液晶は第１および第２透明電極の間に設けられている。このとき、第１透明電極の下端面に第１の透明な高分子薄膜を、第２透明電極の上端面に第２の透明な高分子薄膜を備えた構造を採用することもできる。この場合、液晶は第１および第２の透明な高分子薄膜の間に設けられる。さらに、このような液晶に、電界が印加される前に予めラビング処理を施しておくことも可能である。
【００６７】
もしも、圧電基板の下端面に設けられた少なくとも１つの電極と対向電極の間に第１電気信号が印加されると、圧電基板に厚みモードの振動が励振される。このとき、第１電気信号の周波数が、第２の透明な非圧電板および圧電基板の複合体の厚みモードの共振周波数にほぼ等しい構造を採用することにより、効率よく圧電基板に厚みモードの振動を励振することが可能となる。また、圧電基板の下端面に設けられた少なくとも１つの電極として櫛型電極を採用し、その電極周期長が圧電基板の厚さよりも大きい構造を採用することにより、効率よく圧電基板に厚みモードの振動を励振することが可能となる。この厚みモードの振動により液晶に弾性波が生じ、弾性波により液晶が混濁状態になる。このとき、第２の透明な非圧電板自体に伝搬する弾性波の位相速度が、圧電基板自体を伝搬する弾性波の位相速度よりも遅く、同時に、液晶自体に伝搬する弾性波の位相速度よりも速い構造、そして、第１の透明な非圧電板自体に伝搬する弾性波の位相速度が、液晶自体に伝搬する弾性波の位相速度よりも速い構造を採用することにより、液晶中に効率よく弾性波が生じる。このようにして、液晶が効率よく混濁状態になる。
【００６８】
液晶が混濁状態にあるときに、もしも第１および第２透明電極の間に第２電気信号が印加されると、液晶の少なくとも一部に電界が印加されて、液晶のその少なくとも一部が透明状態になる。このようにして、透明状態にある部分の液晶を通る光が、反射板としての役割も有する対向電極で反射されることから、表示機能が可能となる。このとき、第２の透明な非圧電板の下端面に反射板を備えた構造も可能である。この場合には、光はこの反射板で反射されることになる。このようにして、本発明の反射型液晶ディスプレイは光源や偏光子を必要としないので、小型軽量で、低消費電力駆動が可能である。また、ディスプレイ部にカラーフィルタが備えられた構造を採用することにより、全色型の反射型液晶ディスプレイを構成することが可能となる。
【００６９】
本発明の反射型液晶ディスプレイでは、圧電基板が圧電セラミック薄板で成り、圧電セラミック薄板の分極軸の方向がその厚さ方向と平行であるような構造を採用することにより、効率よく圧電基板に厚みモードの振動を励振することが可能となる。また、圧電基板が圧電性高分子膜で成る構造を採用することが可能である。このような構造を採用することにより、効率よく圧電基板に厚みモードの振動を励振することが可能となる。さらに、圧電基板として圧電性高分子膜を採用するとともに、第１および第２の透明な非圧電板として、高分子膜を採用することにより、反射型液晶ディスプレイ全体の柔軟性が増し、その結果、平面状のディスプレイだけでなく、湾曲したディスプレイが可能となる。従って、製作が容易で、耐久性にも優れた反射型液晶ディスプレイを提供することが可能となる。
【００７０】
本発明の反射型液晶ディスプレイでは、液晶としてネマティック液晶または強誘電性液晶を採用することが可能である。このような液晶を採用することにより、精密な画像を構成することが可能となり、表示機能に優れた反射型液晶ディスプレイを提供することが可能となる。
【００７１】
本発明の反射型液晶ディスプレイでは、第１および第２透明電極として、インジウムとスズの酸化物を採用することが可能である。このような構造を採用することにより、精密な画像を構成することが可能となり、表示機能に優れた反射型液晶ディスプレイを提供することが可能となる。
【００７２】
本発明の反射型液晶ディスプレイでは、第１および第２透明電極がそれぞれ細長い副電極の集合体で成る構造を採用することが可能である。この場合、それぞれの集合体は縞模様を形成し、第１透明電極の縞模様と第２透明電極の縞模様は互いに直交している。もしも、第１透明電極の少なくとも１つの副電極と第２透明電極の少なくとも１つの副電極の間に第２電気信号が印加されると、第１透明電極の副電極と第２透明電極の副電極との間の交叉領域にある液晶に電界が印加される。従って、その交叉領域の液晶が透明状態になる。また、本発明の反射型液晶ディスプレイでは、第１透明電極が点状副電極の集合体で成り、第２透明電極が板状電極で成る構造を採用することが可能である。もしも、点状副電極の少なくとも１つと板状電極の間に第２電気信号が印加されると、点状副電極の少なくとも１つと板状電極の間の領域にある液晶に電界が印加される。従って、その領域の液晶が透明状態になる。さらに、本発明の反射型液晶ディスプレイでは、第１透明電極が板状電極で成り、第２透明電極が点状副電極の集合体で成る構造を採用することが可能である。もしも、板状電極と点状副電極の少なくとも１つの間に第２電気信号が印加されると、板状電極と点状副電極の少なくとも１つの間の領域にある液晶に電界が印加される。従って、その領域の液晶が透明状態になる。このようにして、本発明の反射型液晶ディスプレイでは、様々な形状の第１および第２透明電極を採用することにより、精密な画像を構成することが可能となる。
【００７３】
本発明の反射型液晶ディスプレイでは、圧電基板の下端面に設けられた少なくとも１つの電極が電極Ｅｉ  （ｉ＝１，  ２，…，  ｎ）で成るとともに、電極Ｅｉに接続されたスイッチが設けられた構造が可能である。このような構造を採用することにより、ディスプレイの面積を広げること、すなわち大画面にすることが可能となり、視野特性に優れたディスプレイを提供することが可能となる。
【図面の簡単な説明】
【図１】本発明の反射型液晶ディスプレイの第１の実施例を示す断面図。
【図２】第２透明高分子薄膜６を上方から見たときの平面図。
【図３】圧電部の底面図。
【図４】第１透明電極２および第２透明電極５それぞれに代わって用いられる第１透明電極１４および第２透明電極１５の構成図。
【図５】カラーフィルタ１６と反射板１７を新たに備えたディスプレイ部の断面図。
【図６】すだれ状電極１１の代わりに櫛型電極Ｅ１，  Ｅ２，  Ｅ３およびＥ４を備えた圧電部の底面図。
【図７】すだれ状電極１１の代わりに櫛型電極Ｅ１，  Ｅ２，  Ｅ３およびＥ４を備えた圧電部の底面図。
【図８】ラビング処理を伴った液晶９を通る反射光強度と、１０．７２  ＭＨｚの第１電気信号の印加を中止してからの時間との関係を示す特性図。
【図９】液晶９がラビング処理を伴った場合のコントラスト比と、第１電気信号の周波数との関係を示す特性図。
【図１０】応答時間と、８Ｖの第１電気信号の周波数との関係を示す特性図。
【図１１】応答時間と、８Ｖの第１電気信号の周波数との関係を示す特性図。
【図１２】液晶９がラビング処理を伴った場合のコントラスト比と、第１電気信号の電圧との関係を示す特性図。
【図１３】液晶９がラビング処理を伴わない場合のコントラスト比と、第１電気信号の電圧との関係を示す特性図。
【図１４】応答時間と、第１電気信号の電圧との関係を示す特性図。
【図１５】液晶９がラビング処理を伴わない場合（□）または伴う場合（●）の応答時間と、第１電気信号の電圧との関係を示す特性図。
【図１６】液晶９がラビング処理を伴わない場合（□）または伴う場合（■）のコントラスト比と、第１電気信号として用いられた８Ｖのバースト波信号のデューティー比との関係を示す特性図。
【図１７】液晶９がラビング処理を伴わない場合（□）または伴う場合（■）の応答時間と、第１電気信号として用いられた８Ｖのバースト波信号のデューティー比との関係を示す特性図。
【図１８】液晶９がラビング処理を伴わない場合（□）または伴う場合（■）のコントラスト比と、第２電気信号の電圧との関係を示す特性図。
【図１９】液晶９がラビング処理を伴わない場合（□）または伴う場合（■）の応答時間と、第２電気信号の電圧との関係を示す特性図。
【図２０】液晶９がラビング処理を伴わない場合（□）または伴う場合（■）の応答時間と、第２電気信号の電圧との関係を示す特性図。
【符号の説明】
１    第１の透明な非圧電板
２    第１透明電極
３    第１の透明な高分子薄膜
４    第２の透明な非圧電板
５    第２透明電極
６    第２の透明な高分子薄膜
７    第１の隙間材
８    第２の隙間材
９    液晶
１０    圧電基板
１１    すだれ状電極
１１ａ，  １１ｂ    櫛型電極
１２    対向電極
１３    板状の電極
１４    第１透明電極
１５    第２透明電極
１６    カラーフィルタ
１７    反射板
１８    スイッチ
Ｅ１，  Ｅ２，  Ｅ３，  Ｅ４    櫛型電極
【図１】
2004226581.tif 000003
【図２】
2004226581.tif 000004
【図３】
2004226581.tif 000005
【図４】
2004226581.tif 000006
【図５】
2004226581.tif 000007
【図６】
2004226581.tif 000008
【図７】
2004226581.tif 000009
【図８】
2004226581.tif 000010
【図９】
2004226581.tif 000011
【図１０】
2004226581.tif 000012
【図１１】
2004226581.tif 000013
【図１２】
2004226581.tif 000014
【図１３】
2004226581.tif 000015
【図１４】
2004226581.tif 000016
【図１５】
2004226581.tif 000017
【図１６】
2004226581.tif 000018
【図１７】
2004226581.tif 000019
【図１８】
2004226581.tif 000020
【図１９】
2004226581.tif 000021
【図２０】
2004226581.tif 000022